(57)【要約】      （修正有）【課題】挟持するときに滑って位置ズレが発生しやすいという従来装置の問題を解決するＵＳＢ充電式クリップファンを提供する。【解決手段】クリップファンは、ファン装置１、ブラケットユニット２及びクリップ装置３を備え、ファン装置は、ブラケットユニットに取り付けられ、ブラケットユニットの下方には、挟持用のクリップ装置が設けられ、ブラケットユニットとクリップ装置は、回動可能に接続され、クリップ装置は、上クリップユニットと下クリップユニットを備える。ブラケットユニット及びクリップ装置を設けることにより、ファン装置の多角度高速回転が実現できるとともに、ファン装置を安定的に支持でき、使用しやすく、必要に応じてセットしたり、引っ掛けたり、固定対象に挟み込んだりすることができる。【選択図】図１
0003223247.tif 000002
【実用新案登録請求の範囲】
【請求項１】
ファン装置（１）、ブラケットユニット（２）及びクリップ装置（３）を備え、ファン装置（１）は、ブラケットユニット（２）に取り付けられるＵＳＢ充電式クリップファンであって、
ブラケットユニット（２）の下方には、挟持（１）用のクリップ装置（３）が設けられ、前記ブラケットユニット（２）とクリップ装置（３）は、回動可能に接続され、前記クリップ装置（３）は、上クリップユニットと下クリップユニットを備えることを特徴とするＵＳＢ充電式クリップファン。
【請求項２】
ファン装置（１）は、モータ（５）、羽根（６）、前カード（１５）及び装飾用シリコーンリング（１６）を備え、前記モータ（５）の出力端には羽根（６）が固定して接続され、羽根（６）の外側には羽根（６）を保護するための前カード（１５）が設けられ、前カード（１５）には装飾用シリコーンリング（１６）を介して後カード（７）が接続され、前記モータ（５）が第２ネジ（１４）を介して中管（４）に固定して取り付けられることを特徴とする請求項１に記載のＵＳＢ充電式クリップファン。
【請求項３】
中管（４）のモータ（５）から離れた一側には、制御ユニットが設けられ、制御ユニットは、スイッチボタン（８）と回路基板（９）を含み、前記スイッチボタン（８）が回路基板（９）に電気的に接続され、中管（４）にはモータ（５）に給電するための電池（１３）がさらに設けられ、電池（１３）がモータ（５）に電気的に接続されることを特徴とする請求項２に記載のＵＳＢ充電式クリップファン。
【請求項４】
前記回路基板（９）にはＥＶＡ断熱シート（１２）が取り付けられ、回路基板（９）とＥＶＡ断熱シート（１２）は、第１ネジ（１１）を介して固定して接続され、前記ＥＶＡ断熱シート（１２）にはＥＶＡカバー（１０）が套設されることを特徴とする請求項３に記載のＵＳＢ充電式クリップファン。
【請求項５】
前記ブラケットユニット（２）は、ブラケット（１８）、左固定軸（３０）及び右固定軸（３３）を備え、前記後カード（７）の一側では、内から外へ左固定軸（３０）と左ブラケットプレート（３２）が順次設けられ、前記左固定軸（３０）と左ブラケットプレート（３２）は、ネジ（３１）を介して固定して接続され、左固定軸（３０）は、ブラケット（１８）に取り付けられるとともに、後カード（７）に固定して接続され、
前記後カード（７）の他側では、内から外へ右固定軸（３３）、第４ネジ（３４）及び右ブラケットプレート（３５）が順次設けられ、前記右固定軸（３３）と右ブラケットプレート（３５）は、第４ネジ（３４）を介して接続され、右固定軸（３３）もブラケット（１８）に設けられ、且つ、右固定軸（３３）は、後カード（７）に固定して接続されることを特徴とする請求項２−４のいずれか１項に記載のＵＳＢ充電式クリップファン。
【請求項６】
上クリップユニットは、上クリップ（１７）とステンレス鋼管軸（２７）を備え、上クリップ（１７）の下方にはステンレス鋼管軸（２７）が設けられ、ステンレス鋼管軸（２７）が前記上クリップ（１７）を貫通し、且つステンレス鋼管軸（２７）と上クリップ（１７）が回動可能に接続され、ステンレス鋼管軸（２７）の両端には左クリップタグ（２８）と右クリップタグ（２９）が設けられ、上クリップ（１７）の下方には回転板（１９）が回動可能に接続され、回転板（１９）は、第３ネジ（２０）を介して上クリップの軟質プラスチックブレース（２１）に固定して取り付けられることを特徴とする請求項１に記載のＵＳＢ充電式クリップファン。
【請求項７】
下クリップユニットは、下クリップ（２２）、下クリップの軟質プラスチックブレース（２３）及びシリコーンパッド（２５）を備え、下クリップの軟質プラスチックブレース（２３）が下クリップ（２２）に套設され、下クリップ（２２）と上クリップ（１７）の間には金属バネ（２６）がさらに設けられ、下クリップ（２２）の底面には金属フック（２４）が取り付けられ、下クリップ（２２）の底面には下クリップ（２２）を保護するためのシリコーンパッド（２５）が套設されることを特徴とする請求項６に記載のＵＳＢ充電式クリップファン。
【考案の詳細な説明】
【技術分野】
【０００１】
本考案は、家電の技術分野に関し、特にＵＳＢ充電式クリップファンに関する。
【背景技術】
【０００２】
ファンは、熱い天気に風を発生させて涼めるツールである。電気ファンは、電気で駆動されて気流を発生させる装置であり、内蔵されたファンが通電すると回動して自然風を発生させることにより涼める効果を果たし、従来の卓上型ＵＳＢ小型クリップファン又は天井型ファンでは、ファンのヘッド部が左右及び上下に回動可能であるとともに調整可能となるような目的を達成させるために、様々な対策を取っているが、従来技術によるファンのヘッド部の回動範囲には制限がある。
【０００３】
中国特許ＣＮ２０７８９２８６８Ｕにおいて、ファンブラケット、リアモータブラケット、リアモータ、フロントモータ、フロントモータブラケット、前羽根群及び後羽根群を備え、前記ファンブラケットの頂部の同一軸心線においてリアモータブラケットとフロントモータブラケットが対向して設置され、前記リアモータ及びフロントモータがそれぞれリアモータブラケットとフロントモータブラケットに設けられ、前記ファンブラケットの下端がユニバーサル接続部材を介してクリップに一体化して接続されるクリップ型２枚羽ファンが開示されている。本考案のクリップ型２枚羽ファンでは、リアモータブラケットとフロントモータブラケットにはリアモータとフロントモータが対向して取り付けられ、リアモータとフロントモータには後羽根群と前羽根群が分散して配設されているが、該装置を挟持するときに滑って位置ズレが発生しやすく、実際のニーズを満たすことができないため、ＵＳＢ充電式クリップファンを提案している。
【考案の概要】
【考案が解決しようとする課題】
【０００４】
本考案の目的は、ファン装置、ブラケットユニット及びクリップ装置を備え、ファン装置は、ブラケットユニットに取り付けられ、ブラケットユニットの下方には挟持用のクリップ装置が設けられ、前記ブラケットユニットとクリップ装置は、回動可能に接続され、前記クリップ装置は、上クリップユニットと下クリップユニットを備え、それによって、挟持するときに滑って位置ズレが発生しやすいような従来の装置の問題を解決するＵＳＢ充電式クリップファンを提供することである。
【課題を解決するための手段】
【０００５】
上記目的を達成させるために、本考案は、下記技術案を提供する。
【０００６】
ＵＳＢ充電式クリップファンであって、ファン装置、ブラケットユニット及びクリップ装置を備え、ファン装置は、ブラケットユニットに取り付けられ、ブラケットユニットの下方には、挟持用のクリップ装置が設けられ、前記ブラケットユニットとクリップ装置は、回動可能に接続され、前記クリップ装置は、上クリップユニットと下クリップユニットを備える。
【０００７】
本考案のさらなる技術案として、ファン装置は、モータ、羽根、前カード及び装飾用シリコーンリングを備え、前記モータの出力端には羽根が固定して接続され、羽根の外側には羽根を保護するための前カードが設けられ、前カードには装飾用シリコーンリングを介して後カードが接続され、前記モータが第２ネジを介して中管に固定して取り付けられ、中管のモータから離れた一側には、制御ユニットが設けられ、制御ユニットは、スイッチボタンと回路基板を含み、前記スイッチボタンが回路基板に電気的に接続され、中管にはモータに給電するための電池がさらに設けられ、電池がモータに電気的に接続される。
【０００８】
本考案の別のさらなる技術案として、前記回路基板にはＥＶＡ断熱シートが取り付けられ、回路基板とＥＶＡ断熱シートは、第１ネジを介して固定して接続され、前記ＥＶＡ断熱シートにはＥＶＡカバーが套設される。
【０００９】
本考案の別のさらなる技術案として、前記ブラケットユニットは、ブラケット、左固定軸及び右固定軸を備え、前記後カードの一側では、内から外へ左固定軸と左ブラケットプレートが順次設けられ、前記左固定軸と左ブラケットプレートは、ネジを介して固定して接続され、左固定軸は、ブラケットに取り付けられるとともに、後カードに固定して接続される。
【００１０】
本考案の別のさらなる技術案として、前記後カードの他側では、内から外へ右固定軸、第４ネジ及び右ブラケットプレートが順次設けられ、前記右固定軸と右ブラケットプレートは、第４ネジを介して接続され、右固定軸もブラケットに設けられ、かつ、右固定軸は、後カードに固定して接続される。
【００１１】
本考案の別のさらなる技術案として、上クリップユニットは、上クリップとステンレス鋼管軸を備え、上クリップの下方にはステンレス鋼管軸が設けられ、ステンレス鋼管軸が前記上クリップを貫通し、且つステンレス鋼管軸と上クリップが回動可能に接続され、ステンレス鋼管軸の両端には左クリップタグと右クリップタグが設けられ、上クリップの下方には回転板が回動可能に接続され、回転板は、第３ネジを介して上クリップの軟質プラスチックブレースに固定して取り付けられ、下クリップユニットは、下クリップ、下クリップの軟質プラスチックブレース及びシリコーンパッドを備え、下クリップの軟質プラスチックブレースが下クリップに套設され、下クリップと上クリップの間には金属バネがさらに設けられ、下クリップの底面には金属フックが取り付けられ、下クリップの底面には下クリップを保護するためのシリコーンパッドが套設される。
【考案の効果】
【００１２】
前記のとおり、本考案の有益な効果は、以下のとおりである。本考案は、ブラケットユニット及びクリップ装置を設けることによって、ファン装置の多角度高速回転が実現できるとともに、ファン装置を安定的に支持でき、使用しやすく、必要に応じてセットしたり、引っ掛けられたり、固定対象に挟み込んだりすることができ、普及も使用も容易である。
【図面の簡単な説明】
【００１３】
【図１】考案の構造模式図である。
【図２】考案の立体構造模式図である。
【考案を実施するための形態】
【００１４】
以下、本考案の実施例における図面を参照しながら、本考案の実施例における技術案を明瞭かつ完全に説明するが、勿論、説明する実施例は、本考案の実施例の一部に過ぎず、すべての実施例ではない。本考案の実施例に基づいて、当業者が創造的な努力を必要とせずに想到しうるほかのすべての実施例は、本考案の保護範囲に属する。
【００１５】
実施例１
図１−２に示されるように、本考案の実施例では、ＵＳＢ充電式クリップファンは、ファン装置１、ブラケットユニット２及びクリップ装置３を備え、ファン装置１は、ブラケットユニット２に取り付けられ、ブラケットユニット２の下方には、１挟持用のクリップ装置３が設けられ、前記ブラケットユニット２とクリップ装置３は、回動可能に接続され、前記クリップ装置３は、上クリップユニットと下クリップユニットを備え、
ファン装置１は、モータ５、羽根６、前カード１５及び装飾用シリコーンリング１６を備え、前記モータ５の出力端には羽根６が固定して接続され、羽根６の外側には羽根６を保護するための前カード１５が設けられ、前カード１５には装飾用シリコーンリング１６を介して後カード７が接続され、前記モータ５は、第２ネジ１４を介して中管４に固定して取り付けられ、
中管４のモータ５から離れた一側には、制御ユニットが設けられ、制御ユニットは、スイッチボタン８と回路基板９を含み、前記スイッチボタン８が回路基板９に電気的に接続され、回路基板９にはモータ５が電気的に接続され、前記回路基板９にはＥＶＡ断熱シート１２が設けられ、回路基板９とＥＶＡ断熱シート１２は、第１ネジ１１を介して固定して接続され、前記ＥＶＡ断熱シート１２にはＥＶＡカバー１０が套設され、中管４にはモータ５に給電するための電池１３がさらに設けられ、電池１３がモータ５に電気的に接続され、
前記ブラケットユニット２は、ブラケット１８、左固定軸３０及び右固定軸３３を備え、前記後カード７の一側では、内から外へ左固定軸３０と左ブラケットプレート３２が順次設けられ、前記左固定軸３０と左ブラケットプレート３２は、ネジ３１を介して固定して接続され、左固定軸３０は、ブラケット１８に設けられるとともに、後カード７に固定して接続され、前記後カード７の他側では、内から外へ右固定軸３３、第４ネジ３４及び右ブラケットプレート３５が順次設けられ、前記右固定軸３３と右ブラケットプレート３５は、第４ネジ３４を介して接続され、右固定軸３３もブラケット１８に設けられ、且つ、右固定軸３３は、後カード７に固定して接続される。ブラケットユニット２を設けることによって、ファン装置１を安定的に支持する役割を果たす。
【００１６】
実施例２
図１−２に示されるように、本考案の実施例では、ＵＳＢ充電式クリップファンは、ファン装置１、ブラケットユニット２及びクリップ装置３を備え、ファン装置１は、ブラケットユニット２に取り付けられ、ブラケットユニット２の下方には１挟持用のクリップ装置３が設けられ、前記ブラケットユニット２とクリップ装置３は、回動可能に接続され、前記クリップ装置３は、上クリップユニットと下クリップユニットを備え、
前記ブラケットユニット２は、ブラケット１８、左固定軸３０及び右固定軸３３を備え、前記後カード７の一側では、内から外へ左固定軸３０と左ブラケットプレート３２が順次設けられ、前記左固定軸３０と左ブラケットプレート３２は、ネジ３１を介して固定して接続され、左固定軸３０は、ブラケット１８に取り付けられるとともに、後カード７に固定して接続され、前記後カード７の他側では、内から外へ右固定軸３３、第４ネジ３４及び右ブラケットプレート３５が順次設けられ、前記右固定軸３３と右ブラケットプレート３５は、第４ネジ３４を介して接続され、右固定軸３３もブラケット１８に設けられ、且つ、右固定軸３３は、後カード７に固定して接続される。ブラケットユニット２を設けることによって、ファン装置１を安定的に支持する役割を果たし、
上クリップユニットは、上クリップ１７とステンレス鋼管軸２７を備え、前記上クリップ１７は、ブラケット１８に回動可能に接続され、上クリップ１７の下方にはステンレス鋼管軸２７が設けられ、ステンレス鋼管軸２７が前記上クリップ１７を貫通し、且つステンレス鋼管軸２７と上クリップ１７が回動可能に接続され、ステンレス鋼管軸２７の両端には左クリップタグ２８と右クリップタグ２９が設けられ、上クリップ１７の下方には回転板１９が回動可能に接続され、回転板１９は、第３ネジ２０を介して上クリップの軟質プラスチックブレース２１に固定して取り付けられ、
下クリップユニットは、下クリップ２２、下クリップの軟質プラスチックブレース２３、金属フック２４及びシリコーンパッド２５を備え、下クリップの軟質プラスチックブレース２３が下クリップ２２に套設され、下クリップ２２と上クリップ１７の間には金属バネ２６がさらに設けられ、下クリップ２２の底面には金属フック２４が取り付けられ、下クリップ２２の底面には下クリップ２２を保護するためのシリコーンパッド２５が套設され、シリコーンパッド２５は、高吸着力を有するため、滑り止め作用を果たす。
【００１７】
前記のとおり、本考案の作動原理は、以下のとおりである。本考案では、ファン装置１、ブラケットユニット２及びクリップ装置３を一体化させることで、使用しやすくし、必要に応じてセットしたり、上下左右に角度を調整したり、固定対象に挟持されてファン装置１を固定したりすることができ、使用する際に、ブラケットユニット２は、実際の使用状況に応じて上下左右に回動して角度を変えることができ、下クリップ２２及び金属フック２４を設けることにより、本考案を壁又は２１ｍｍ以下の任意の固定対象に引っ掛けることが可能になり、このように、本考案の使用状態が変更可能である。
【００１８】
本考案では、ブラケットユニット２及びクリップ装置３を設けることによって、ファン装置１の多角度高速回転が実現できるとともに、ファン装置１を安定的に支持でき、使用しやすく、必要に応じてセットしたり、固定物に引っ掛けられたり挟み込んだりすることができ、普及も使用も容易である。
【００１９】
当業者にとって明らかなように、本考案は、上記例示的な実施例の詳細に制限されず、本考案の主旨又は基本的な特徴から逸脱せずに、ほかの実施形態によって本考案が実現できる。このため、どの観点でも、実施例は、例示的なものに過ぎず、且つ限定的ではなく、本考案の範囲は、上記説明ではなく、添付した実用新案登録請求の範囲により限定されており、したがって、請求項の等同要件の意味及び範囲に含まれるすべての変化が本考案に含まれることを意図する。請求項におけるいずれの図面の符号も係る請求項を制限するものとして見なすべきではない。
【００２０】
本考案の説明において、なお、用語「中心」、「縦方向」、「横方向」、「上」、「下」、「前」、「後」、「左」、「右」、「鉛直」、「水平」、「頂」、「底」、「内」、「外」などにより指示される方位又は位置関係は、図面に示される方位又は位置関係に基づくものであり、本考案の考案及び説明を簡素化させるために過ぎず、示される装置又は素子が必ずしも特定の方位を有したり、特定の方位で構造又は操作されたりすることを指示又は示唆すると限らず、このため、本考案の制限として理解できない。また、用語「第１」、「第２」などは、説明するために過ぎず、相対重要性を指示又は示唆したり、指示される技術的特徴の数を暗黙的に示したりするものではない。このため、「第１」、「第２」などにより限定される特徴は、１つ又は複数のこの特徴を含むことを明示的または暗黙的に示すことができる。断らない限り、本考案の説明において、「複数」は、２つ以上を意味する。
【００２１】
また、なお、本明細書において実施形態にて説明したが、各実施形態は、１つの独立した技術案だけを含むのではなく、明細書に使用されるこのような説明方式は、説明の便宜のために過ぎず、当業者であれば、明細書を全体とすべきであり、各実施例における技術案は、適宜組み合わせて、当業者が理解しうるほかの実施形態を構成してもよい。
【符号の説明】
【００２２】
１−ファン装置、２−ブラケットユニット、３−クリップ装置、４−中管、５−モータ、６−羽根、７−後カード、８−スイッチボタン、９−回路基板、１０−ＥＶＡカバー、１１−第１ネジ、１２−ＥＶＡ断熱シート、１３−電池、１４−第２ネジ、１５−前カード、１６−装飾用シリコーンリング、１７−上クリップ、１８−ブラケット、１９−回転板、２０−第３ネジ、２１−上クリップの軟質プラスチックブレース、２２−下クリップ、２３−下クリップの軟質プラスチックブレース、２４−金属フック、２５−シリコーンパッド、２６−金属バネ、２７−ステンレス鋼管軸、２８−左クリップタグ、２９−右クリップタグ、３０−左固定軸、３１−ネジ、３２−左ブラケットプレート、３３−右固定軸、３４−第４ネジ、３５−右ブラケットプレート。
【図１】
0003223247.tif 000003
【図２】
0003223247.tif 000004